(57)【要約】【課題】業務等で作成する文書ファイルや図面ファイルを効率よく分類し管理するファイル管理システムを提供する。【解決手段】特定のフォルダ（以下、「ドメイン」と称す。）について、当該ドメイン内にあるものとして扱うべきフォルダ及び／又はファイルの情報が登録されたリストデータを保持する手段を設け、このリストデータには、実際に前記階層構造における当該ドメイン配下のフォルダ及び／又はファイルのみならず、別の階層におけるフォルダ及び／又はファイルを登録し得るようにする。また、ファイル毎の属性を管理し、ユーザ毎に細かくファイル操作を管理する。さらに、類似ファイル検索手段を設けて、誤った場所に格納されたファイルのあるべき場所を探しうるようにする。【選択図】　　　　図１
2004133505.tif 000002
【特許請求の範囲】
【請求項１】
コンピュータシステムの記憶領域に、データファイルを格納するフォルダを階層構造で管理するファイル管理システムにおいて、
特定のフォルダ（以下、「ドメイン」と称す。）について、当該ドメイン内にあるものとして扱うべきフォルダ及び／又はファイルの情報が登録されたリストデータを保持する手段を備え、このリストデータには、実際に前記階層構造における当該ドメイン配下のフォルダ及び／又はファイルのみならず、別の階層におけるフォルダ及び／又はファイルを登録し得ることを特徴とするファイル管理システム。
【請求項２】
請求項１に記載のファイル管理システムにおいて、当該システムがさらに、各データファイルに関連づけてその属性を付与する手段を備え、この属性には、当該ファイルを作成した人物の情報を示すオーナー情報、当該ファイルを誰に公開するかを示す公開情報、当該ファイルのコピーが許されるかを示すコピー情報、当該ファイルの削除を誰に許可するかを示す削除情報、ファイルを更新した場合に元のファイルに上書きするか新規ファイルとして保存するかを示す更新情報、のいずれか１以上が登録されていることを特徴とするファイル管理システム。
【請求項３】
請求項２に記載のファイル管理システムにおいて、各ファイルの属性が少なくとも前記公開情報を含むとともに、前記ファイル管理システムがさらに、ユーザからのファイル一覧要求に対し当該ユーザに公開されたファイルのみの一覧を作成した当該ユーザに提供する一覧作成手段を備えることを特徴とするファイル管理システム。
【請求項４】
請求項１乃至３のいずれかに記載のファイル管理システムにおいて、当該システムがさらに、任意のドメイン（以下、「１のドメイン」と称す。）のリストデータに登録されたフォルダまたはファイルの削除要求を受けた場合に、当該フォルダまたはファイルが他のドメインのリストデータに登録されているか否かを調べ、他のドメインのリストデータに登録されている場合は前記１のドメインのリストデータから当該フォルダまたはファイルの情報を削除し、他のドメインのリストデータに登録されていない場合は前記コンピュータシステムの記憶領域から当該フォルダまたはファイル自体を削除する削除制御手段を備えることを特徴とするファイル管理システム。
【請求項５】
請求項１乃至４のいずれかに記載のファイル管理システムにおいて、当該システムがさらに類似ファイル検索手段を備え、この類似ファイル検索手段は、検索対象の各ファイルにつき、前記コンピュータシステムあるいは当該ファイルを扱うアプリケーションが使用する制御情報以外の実データを抽出し、この実データ同士を比較して求められる類似度が基準値以上であるファイルを類似ファイルとして抽出することを特徴とするファイル管理システム。
【発明の詳細な説明】
【０００１】
【発明の属する技術分野】
本発明は、ファイル管理システムに関し、特に、業務等で作成する文書ファイルや図面ファイルを効率よく分類し管理するファイル管理システムに関する。
【０００２】
【従来の技術】
従来、コンピュータシステムのファイル管理方式としてフォルダないしディレクトリ構造がある。これはマイクロソフト社のｗｉｎｄｏｗｓ（商標名）やアップルコンピュータ社のマックＯＳ（商標名）などのオペレーティングシステム（以下、ＯＳと称す。）で広く採用されている管理方式であり、目的別に階層構造でフォルダを作成し、その配下に文書ファイルや図面ファイルを格納し分類するものである。
【０００３】
また、サーバを介して文書ファイルを共有する場合に、クライアントが複数の分類体系による文書ファイルの分類、整理及びディレクトリブラウジングを行うことができるファイルユーティリティを有し、ファイル検索の効率化を図るようにしたファイル共有システムもある（例えば、特許文献１）。
【０００４】
また、ファイルやフォルダの属性を管理テーブルに登録しておき、選択したフォルダに関連した他のフォルダ、またはそのフォルダ内に含まれるファイルに関連したファイルが含まれる他のフォルダを簡単に検索できるようにしたシステムもある（例えば、特許文献２）。
【０００５】
【特許文献１】
特開２０００−２６８０４１号公報（第３−４頁）
【特許文献２】
特開２００１−１６７１０４号公報
【０００６】
【発明が解決しようとする課題】
ＯＳが通常有するファイル管理システムでは、ユーザが自由にフォルダを作成してファイル管理を行うことができる。したがって、ユーザは業務や目的に応じてフォルダ階層を作成し、その階層に沿ってファイルを分類し、格納する。しかしながら、フォルダによる階層構造の分類は月日の経過や業務の拡大とともに不具合が生じる場合がある。これについて以下に説明する。
【０００７】
例えば、企業で運用されるコンピュータシステムにおいて、新規業務を立ち上げた場合を想定する。この新規業務で既存の文書ファイルや図面ファイルを利用する必要がある場合に、それらのファイルは既存の業務や他の事業所がアクセスする複数のフォルダ階層に点在している場合がある。この場合、当該新規業務のために新たなフォルダを作成し必要なファイルを移動してしまえれば簡単だが、既存の業務や他の事業所のオペレーションにおいてファイルを移動されると問題が生じるケースがある。
【０００８】
また、外部の企業と業務提携を結び、社内で管理するいくつかのファイルをその企業に開放したい場合を想定する。この場合も、必要なファイルが社内システムにおいて複数のフォルダ階層に点在し、勝手に移動されると困る場合がある。このような場合に外部企業に必要以上のファイルアクセス権を授けることはセキュリティ上好ましくなく、また外部企業側から見ても多岐にわたるフォルダ階層にファイルが散在しているのは不便である。
【０００９】
本発明はこのような問題に鑑み、ＯＳが一般に有する階層構造によるファイル管理を前提として、業務拡大などの必要に応じて分類を柔軟に増減できるようにしたファイル管理システムを提供することを目的とする。
【００１０】
【課題を解決するための手段】
この目的を達成するために、本発明は、コンピュータシステムの記憶領域に、データファイルを格納するフォルダを階層構造で管理するファイル管理システムにおいて、
特定のフォルダ（以下、「ドメイン」と称す。）について、当該ドメイン内にあるものとして扱うべきフォルダ及び／又はファイルの情報が登録されたリストデータを保持する手段を備え、このリストデータには、実際に前記階層構造における当該ドメイン配下のフォルダ及び／又はファイルのみならず、別の階層におけるフォルダ及び／又はファイルを登録し得ることを特徴とする。
本発明のシステムでは、ＯＳが従来有するファイル管理機能を前提として、フォルダ階層構造に拘わらないフォルダ（すなわちドメイン）でファイル操作を行うことができ、業務の多様化などに機敏に対応することができる。
【００１１】
本発明のファイル管理システムではさらに、各データファイルに関連づけてその属性を付与する手段を備え、この属性には、当該ファイルを作成した人物の情報を示すオーナー情報、当該ファイルを誰に公開するかを示す公開情報、当該ファイルのコピーが許されるかを示すコピー情報、当該ファイルの削除を誰に許可するかを示す削除情報、ファイルを更新した場合に元のファイルに上書きするか新規ファイルとして保存するかを示す更新情報、のいずれか１以上が登録されていることが望ましい。
このように各ファイルの属性を管理することにより、ファイル閲覧、更新、削除などにつきユーザ毎の細かい管理を行うことができる。
【００１２】
このファイル管理システムにおいて、各ファイルの属性が少なくとも前記公開情報を含むとともに、前記ファイル管理システムがさらに、ユーザからのファイル一覧要求に対し当該ユーザに公開されたファイルのみの一覧を作成した当該ユーザに提供する一覧作成手段を備えることが望ましい。
【００１３】
本発明のファイル管理システムはさらに、任意のドメイン（以下、「１のドメイン」と称す。）のリストデータに登録されたフォルダまたはファイルの削除要求を受けた場合に、当該フォルダまたはファイルが他のドメインのリストデータに登録されているか否かを調べ、他のドメインのリストデータに登録されている場合は前記１のドメインのリストデータから当該フォルダまたはファイルの情報を削除し、他のドメインのリストデータに登録されていない場合は前記コンピュータシステムの記憶領域から当該フォルダまたはファイル自体を削除する削除制御手段を備えることが望ましい。
この削除制御手段により、１のドメインで不要となったファイルでも他の業務等で必要なファイルを消去してしまう等の問題を防ぐことができる。
【００１４】
本発明のファイル管理システムはさらに、類似ファイル検索手段を備え、この類似ファイル検索手段は、検索対象の各ファイルにつき、前記コンピュータシステムあるいは当該ファイルを扱うアプリケーションが使用する制御情報以外の実データを抽出し、この実データ同士を比較して求められる類似度が基準値以上であるファイルを類似ファイルとして抽出することが望ましい。
この類似ファイル検索手段により本来あるべきでない場所に格納されたファイルがどこに移動されるべきか等の情報を簡単に得ることができ、ファイル管理の便宜とすることができる。
【００１５】
【発明の実施の形態】
本発明の実施の形態を、添付の図面を参照しながら以下に説明する。図１は本発明に係るファイル管理システムの実施の形態を示す図である。図１に示すように、社内ＬＡＮ等のネットワーク１０に複数のクライアント端末２０と、ファイルサーバ３０とが接続されている。ファイルサーバ３０は業務等で使用する文書ファイルや図面ファイルを登録するサーバであり、大容量の記憶手段４０を備えている。
【００１６】
ファイルサーバ３０上で動作するＯＳ（オペレーティングシステム）３１は通常のファイル管理機能を備えており、記憶領域４０にフォルダを階層構造で管理し、各フォルダにデータファイルを格納できるようにしている。この例を図２に示す。フォルダＦ１の配下にフォルダＦ２、フォルダＦ３・・・Ｆｎが作成されており、フォルダＦ２には文書ファイルＢ１〜Ｂ３が登録され、フォルダＦ３には図面ファイルＰ１、Ｐ２が登録されている。なお、フォルダＦ２及びフォルダＦ３の配下、さらにその配下にもフォルダを作成することができる。どこにどのようなフォルダを作成するか、どのフォルダにどのファイルを格納するかは業務内容や管理の便宜等に応じて適宜決定される。
【００１７】
本発明のシステムでは、ファイルサーバ３０はさらにドメイン登録手段３２と、属性管理手段３３と、一覧作成手段３４と、削除制御手段３５と、類似ファイル検索手段３６とを備えている。ドメイン登録手段３２は、指定されたフォルダにつき、当該フォルダ内にあるものとして扱うべきフォルダ及び／又はファイルの情報が登録されたリストを管理する。そしてこのリストには、ＯＳ階層構造における当該フォルダ配下のフォルダ及び／又はファイルのみならず、別の階層におけるフォルダ及び／又はファイルを登録し得るものとする。このように管理されたフォルダを本明細書中「ドメイン」と称する。各ドメインのリストはドメイン内に保管されるファイルとして構成することができる。
【００１８】
図３に、フォルダＦ１の下層にドメインＤ１を作成する例を示す。この場合、フォルダＦ１の下層に新たなフォルダＦ４を作成し、これをドメインＤ１にする処理を行う（図３（ｂ）参照）。すなわち、ユーザからの新規フォルダ作成要求があった場合、ドメイン登録手段３２は「通常のフォルダにするかドメインにするか」を作成者に問い合わせ、ドメインにする場合には、当該ドメインＤ１内にあるものとして扱うべきフォルダ及び／又はファイルの指定を促す。ここで指定されたフォルダ及び／又はファイルが図３（ａ）に示すドメインＤ１のリストに登録される。図３ではドメインＤ１にフォルダＦ２を丸ごとと、フォルダＦ３内の図面ファイルＰ２を登録する例を示す。
【００１９】
図３（ａ）に示すように、リストは少なくともフォルダ名とファイル名（又はパス等の情報）を登録する欄を備えている。ユーザがこのドメインＤ１に属すべきフォルダ又はファイルを指定すると、リストにはそのフォルダ又はファイル名が登録される。ここでフォルダが指定された場合は、そのフォルダ内のすべてのファイルの指定であると解釈し、ファイル名の欄に特別な記号（例えば、「＊．＊」）を登録する。また、ドメインＤ１の配下にそのまま文書ファイルＢ４を配置したり、別のドメインやフォルダを作成できるものとする。このリストの指定はドメインＤ１の作成時のみならず、以降に追加、削除等できるものとする。
【００２０】
このようにドメインＤ１に属するフォルダやファイルを指定すると、図３（ｂ）に示すような関係が構成される。すなわち、ユーザにはドメインＤ１の配下に文書ファイル４の他、フォルダＦ２が丸ごとと図面ファイルＰ２とが表示され、これらはドメインＤ１の配下のフォルダやファイルとして取り扱うことができる。ただし、オリジナルのフォルダＦ２はフォルダＦ１の配下、図面ファイルＰ２はフォルダＦ３の配下に残っており、従来通りこの場所にあるものとして利用することができる。
【００２１】
すなわち本明細書で「ドメイン」とは、一般のコンピュータシステムにおけるフォルダの一種であり、その配下にフォルダやファイルをそのまま格納しうるとともに、他の階層に属するフォルダやファイルをそのドメイン配下にあるものとして扱える機能を持たせたものである。ドメインはフォルダと同様に表示され、ユーザはフォルダと同様に扱うことができる。フォルダが階層構造でファイルを管理するのに対し、ドメインは他の階層にまたがってファイル、フォルダ、ドメインを管理することができる。したがって本発明のファイル管理システムでは、１つのデータファイルを複数のドメインに所属させて、各ドメインから利用することができる。
【００２２】
次に、サーバ３０の属性管理手段３３について説明する。属性管理手段３３は、記憶手段４０にある各データファイルにつき、当該ファイルを作成した人物の情報を示すオーナー情報、当該ファイルを誰に公開するかを示す公開情報、当該ファイルのコピーが許されるかを示すコピー情報、当該ファイルの削除を誰に許可するかを示す削除情報、ファイルを更新した場合に元のファイルに上書きするか新規ファイルとして保存するかを示す更新情報を属性として管理する。この属性情報の詳細を図４に示す。
【００２３】
図４に示すように、オーナー情報とは、当該データファイルを最初に格納した人物を氏名やＩＤ等で表す。公開情報とは、データファイルを誰にどの権限（例えば参照のみ、更新可、コピー作成可など）で公開するかを氏名やＩＤ等で表す。コピー情報とは、データファイルのコピーが許可されている場合に、コピーのオーナーが誰になるか（元ファイルのオーナーがコピーファイルのオーナーとして継承されるか、コピーした人物がコピーファイルのオーナーとなるか）を表す。削除情報とは、当該データファイルの削除権限を誰（オーナーまたは任意指定）にするかを表す。更新情報とは、データファイルを更新する場合に元のファイルに上書きするか、新しいデータファイルとするかを表す。
【００２４】
以上の属性情報は、データファイルの制御情報として構成し当該ファイルに組み込む形式としたり、データファイル毎に個別の属性情報ファイルとして生成したり、システム全体で１または２以上のデータベースを作成して登録したりすることができる。これらの属性はファイル作成時や更新時に権限あるユーザが指定したり、あるいは事前の設定により自動的に付与されるものとし、権限のあるユーザによって以降に変更することもできるようにする。このようにファイル毎の属性情報を管理することにより、以下に述べるような細かいファイル管理が実現する。
【００２５】
（１）ファイル閲覧
クライアント端末２０からサーバ３０が管理する任意のデータファイルの閲覧要求があったときに、属性管理手段３４は当該データファイルの属性の公開情報を参照し、クライアント端末２０のユーザが当該データファイルの公開対象者であるか否か、公開対象者である場合にはどの権限（更新可、参照のみ等）で公開するかを確認する。権限のある公開対象者（例えばユーザがオーナーである場合等）であればファイルの利用を許可し、そうでなければファイルの利用を制限する。
【００２６】
（２）ファイルコピー
クライアント端末２０がファイルをコピーしようとする場合に、属性管理手段３３はファイル属性のコピー情報を参照し、オーナー承継設定であればコピーファイルのオーナー情報として元ファイルのオーナー名を登録する。コピー情報がコピー者の設定であれば、コピーファイルのオーナー情報としてコピー者を登録する。
【００２７】
（３）ファイル更新
クライアント端末２０からファイルの更新要求を受けた場合に、属性管理手段３３はファイル属性の更新情報を参照し、上書き可能か否かを確認する。ここで上書き可能である場合は元ファイルに上書きし、上書き不可である場合には別ファイルとして保存するようユーザに通知する。
【００２８】
（４）ファイル削除
クライアント端末２０から任意のファイルの削除要求があった場合に、属性管理手段３３はファイル属性の削除情報を参照し、端末２０のユーザに削除権限があるか否かを確認する。当該ユーザに削除権限がない場合は、削除不可である旨を通知する。
【００２９】
次に、一覧作成手段３４の機能を説明する。一覧作成手段３４は、図１に示すクライアント端末２０からのファイル一覧要求に対し、当該クライアント端末に公開されたファイルのみの一覧を作成した当該ユーザに提供する。この処理フローを図５に示す。クライアント端末２０のユーザがファイルサーバ３０のファイル操作を希望する場合、サーバ３０にファイル一覧要求を行う（ステップＳ１１）。一覧作成手段３４は、この要求に含まれるクライアント端末２０のＩＤから、あるいはユーザに直接問い合わせることによりユーザを認識する。その後、記憶手段４０のデータファイルを１つ取り出す（ステップＳ１２）。データファイルが存在する場合には（ステップＳ１３：ＹＥＳ）、その属性のうち公開情報を参照する（ステップＳ１４）。
【００３０】
前述のようにファイル属性の公開情報には当該ファイルを誰にどの権限で公開するかの氏名またはＩＤ等が登録されているので、要求にかかるクライアント端末２０のユーザが公開対象者か否かを判断する（ステップＳ１５）。公開対象者であればファイル情報を一覧に追加し、次のファイル情報を取り出す（ステップＳ１６からＳ１２へ）。ユーザがファイルの公開対象者でない場合は、ファイル情報を一覧に加えることなく、次のファイル情報を取り出す（ステップＳ１５：ＮＯ）。このようにしてファイル一覧を作成し、最後のファイルまで終わったら（ステップＳ１３：ＮＯ）、クライアント端末２０にファイル一覧を提供する（ステップＳ１７）。この処理により、ユーザには当該ユーザに公開されたファイルのみの一覧が提供され、この一覧から指定することによりファイルを開くことができる。
【００３１】
次に、削除制御手段３５を説明する。この削除制御手段３５は、クライアント端末２０からドメイン内ファイルの削除要求を受けた場合に、他のユーザ等との関係によってドメインからの参照を解除するのみとするか、実際のファイル自体を削除するかを決定する手段である。削除制御手段３５の処理フローを図６に示す。クライアント端末２０で任意のドメインからファイルを指定して削除要求を行うと、削除制御手段３５がこれを検知する（ステップＳ２１）。削除制御手段３５は記憶手段４０内の各ドメインのリストを参照し、削除要求に係るファイルが他のドメインのリストに登録されているか否かを調査する（ステップＳ２２）。ここで、ファイルが他のドメインのリストに登録されている場合は（ステップＳ２３：ＹＥＳ）、削除要求にかかるドメインのリストから当該ファイルの情報を削除する（ステップＳ２４）。この場合、記憶手段４０からオリジナルのファイルは削除されず、このドメイン内に当該ファイルが表示されなくなるだけである。
【００３２】
一方、削除要求にかかるファイルが他のドメインのリストデータに登録されていない場合は（ステップＳ２３：ＮＯ）、前記コンピュータシステムの記憶領域からファイル自体を削除する（ステップＳ２５）。勿論この場合はファイル属性の削除情報が参照され、クライアント端末２０のユーザの削除権限を確認するようにする。このようにして削除管理を行うことにより、１のドメインで不要になったファイルであっても他の業務等で必要なファイルが削除されてしまうのを防ぐことができる。
【００３３】
次に、類似ファイル検索手段３６について説明する。上述の手段によりシステム上のファイル管理を柔軟に行うことができるが、ファイルの分類や階層管理そのものは事業内容等に応じて利用者が行う必要がある。この場合、毎日の業務におけるファイルコピーや更新時に別ファイルとして保存した場合に判断ミスや誤操作などにより誤ったフォルダにファイルが格納されてしまう場合がある。このような事態の収拾を支援すべく、本願のファイル管理システムでは類似ファイル検索手段３６を設けている。
【００３４】
類似ファイル検索手段３６は、任意のファイルを指定した検索要求を受けた場合に、当該ファイルと内容が類似するファイルを回答する手段である。ワードプロセッサやＣＡＤシステムで作成したデータファイルは、コンピュータシステムやアプリケーションが使用する制御情報と、それ以外の人間が必要とする文字テキストや図形データ（実データ）に分けることができる。したがって、実データのみを比較することにより類似ファイルを検索することが可能となる。
【００３５】
類似ファイル検索手段３６の処理フローを図７に示す。クライアント端末２０から任意のファイルの指定を含む類似ファイル検索要求を受けると（ステップＳ３１）、類似ファイル検索手段３６は指定されたファイルの実データを抽出する（ステップＳ３２）。この場合、類似ファイル検索手段３６は予め主要なアプリケーションの保存形式についてどのような制御情報がファイルのどこに組み込まれているかといった情報を有するものとし、この情報に基づいて制御情報を除外することにより実データを抽出する。
【００３６】
次に、検索対象範囲にあるデータファイルを１つ取り出し、同様に実データの抽出を行う（ステップＳ３３、Ｓ３４）。以上の処理で得られた実データ同士を比較し（ステップＳ３５）、その類似度が設定された基準値以上であるか否かを判定する。この類似度は同じデータ列をどれくらい含むかにより判断するようにする。ここで類似度が基準値以上であれば一覧に追加し（ステップＳ３６）、次のデータファイルを取り出して同様の処理を進めていく。検索対象範囲の最後のデータファイルが終了したら（ステップＳ３３：ＮＯ）、作成したファイル一覧をクライアント端末２０に送信する（ステップＳ３７）。なお、一覧に追加するための基準値は目的等に応じてユーザが設定しうるようにする。
【００３７】
この類似ファイル検索手段３６によれば、任意のファイルにつきこれと類似のファイルがどこに格納されているかを把握することができる。したがって、本来あるべきでない場所に格納されているファイルを見つけた場合に、その種のファイルはどこに格納されるべきかを検索し、正規の場所に移動させることが可能となる。
【００３８】
【発明の効果】
以上、詳細に説明したように、本発明のファイル管理システムによれば、既存のフォルダの階層構造によらないドメインなる概念で他の階層にあるフォルダやファイルを扱うことができ、複数の分類にまたがるファイルをより判りやすく柔軟に管理することができる。また、ファイル毎に属性を設け、公開、更新、コピー、削除などの処理を制限できるようにしたため、多用な業務ファイルを格納するファイルサーバのファイル管理をきめ細かく行うことができる。
【００３９】
さらに、類似ファイル検索手段を用いて類似ファイルの格納場所を把握できるようにしているため、本来あるべきでない場所に格納されたファイルがどこに移動されるべきか等の情報を簡単に得ることができ、ファイル管理の便宜とすることができる。
【図面の簡単な説明】
【図１】本発明に係るファイル管理システムの全体を示す図である。
【図２】ＯＳが通常有するファイル管理機能によるファイル管理方式を説明する図である。
【図３】図１に示すドメイン登録手段の機能を説明するための図である。
【図４】図１に示す属性管理手段が管理する属性情報を説明する図である。
【図５】図１に示す一覧作成手段の処理を説明するフローチャートである。
【図６】図１に示す削除制御手段の処理を説明するフローチャートである。
【図７】図１に示す類似ファイル検索段の処理を説明するフローチャートである。
【符号の説明】
１０　　　ネットワーク
２０　　　クライアント端末
３０　　　ファイルサーバ
３１　　　オペレーティングシステム
３２　　　ドメイン登録手段
３３　　　属性管理手段
３４　　　一覧作成手段
３５　　　削除制御手段
３６　　　類似ファイル検索手段
４０　　　記憶手段
【図１】
2004133505.tif 000003
【図２】
2004133505.tif 000004
【図３】
2004133505.tif 000005
【図４】
2004133505.tif 000006
【図５】
2004133505.tif 000007
【図６】
2004133505.tif 000008
【図７】
2004133505.tif 000009